(57)【要約】【課題】簡便な構成でランバーサポート部材の高さ調節機能を実現する。【解決手段】着座者の腰部を支えるランバーサポート部材１８の被支持部１８３ａ、１８３ｂを張地１２１と支持体１２２ａ、１２２ｂとの間に配置するとともに、ランバーサポート部材１８の被支持部１８３ａ、１８３ｂに設けた後方に突出する突起１８４ａ、１８４ｂを支持体１２２ａ、１２２ｂに設けた上下方向に延伸する溝穴１２２ｄ、１２２ｅに挿入して、当該ランバーサポート部材１８を上下スライド可能に支持させるようにした。【選択図】図１２
2007190219.tif 000002
【特許請求の範囲】
【請求項１】
左右に対をなす支持体の前面側に張地を張り設けて背凭れ面を形成しているものであって、
着座者の腰部を支えるランバーサポート部材の被支持部を、張地と支持体との間に配置するとともに、
ランバーサポート部材の被支持部と支持体とのうち一方に設けた前後方向に突出する突起を、他方に設けた上下方向に延伸する溝穴に挿入して、
当該ランバーサポート部材を上下スライド可能に支持させていることを特徴とする椅子。
【請求項２】
前記支持体が、着座者の荷重を受けて後方に撓み変形し得る請求項１記載の椅子。
【請求項３】
前記ランバーサポート部材が、本体部と、本体部より左右両側方に延出した帯部と、帯部の側端近傍で上下方向に拡張した拡張部とを備えており、
その拡張部を前記被支持部としている請求項１または２記載の椅子。
【請求項４】
前記ランバーサポート部材の拡張部は、側端縁に近づくにつれて徐々に肉薄となるように成形し、
前記張地の側端を前記拡張部の後方に回り込ませるようにしている請求項３記載の椅子。
【請求項５】
前記ランバーサポート部材の帯部が、着座者の荷重を受けて後方に撓み変形し得る請求項３または４記載の椅子。
【請求項６】
前記突起は、前記溝穴の溝幅に略等しい直径の円筒状の外周をなしている請求項１、２、３、４または５記載の椅子。
【請求項７】
前記支持体を背フレームの前面側に配し、支持体を背フレームに支持させている請求項１、２、３、４、５または６記載の椅子。
【発明の詳細な説明】
【技術分野】
【０００１】
本発明は、オフィス等にて好適に使用される椅子に関する。
【背景技術】
【０００２】
この種の椅子として、伸縮性を有する張地を張り設けて背凭れ面を形成しているものが周知である。例えば、下記特許文献には、背凭れ面の上部を上フレームに支持させ、背凭れ面の下部を下フレームに支持させてなり、上フレーム、下フレームの水平軸回りの傾動操作を通じて背凭れ面を自在に変形させ得る高機能型の椅子が開示されている。
【特許文献１】特開２００２−１１９３９０号公報
【発明の開示】
【発明が解決しようとする課題】
【０００３】
ところで、張地を張り設けて背凭れ面を形成した態様の椅子において、着座者の腰部に対応する高さ位置にランバーサポート部材を架け渡しておき、着座者が凭れたときに腰部近傍部位がランバーサポート部材に支持されて後方に深く沈み込まないようにする、ということが考えられている。その場合、個々人の体格差に応じて、ランバーサポート部材の高さを調節できるようにすることが望ましい。しかしながら、精緻な調節機構を作り込むと、構造の複雑化、部品点数の増加を招き、コストを高騰させてしまう。
【０００４】
以上に鑑みてなされた本発明は、簡便な構成でランバーサポート部材の高さ調節機能を実現することを所期の目的としている。
【課題を解決するための手段】
【０００５】
上述した課題を解決するべく、本発明では、左右に対をなす支持体の前面側に張地を張り設けて背凭れ面を形成している椅子にあって、着座者の腰部を支えるランバーサポート部材の被支持部を張地と支持体との間に配置するとともに、ランバーサポート部材の被支持部と支持体とのうち一方に設けた前後方向に突出する突起を他方に設けた上下方向に延伸する溝穴に挿入して、当該ランバーサポート部材を上下スライド可能に支持させるものとした。
【０００６】
つまり、ランバーサポート部材の被支持部を張地と支持体とで前後から挟みつつ、その被支持部と支持体との間に突起と溝穴とによる上下スライド構造を構築したのである。突起は、張地（のテンション）によって溝穴からの抜出が阻まれる。このようなものであれば、精緻な調節機構を作り込むことなしにランバーサポート部材の高さ調節機能を実現でき、しかもコンパクトな構成となる。
【０００７】
前記支持体が、着座者の荷重を受けて後方に撓み変形し得るのであれば、着座者が凭れたときに支持体が撓むことで着座者の身体を柔らかく受け止めることができる。
【０００８】
前記ランバーサポート部材が、本体部と、本体部より左右両側方に延出した帯部と、帯部の側端近傍で上下方向に拡張した拡張部とを備えており、その拡張部を前記被支持部としていれば、ランバーサポート部材を安定的に保持するために有効となる。
【０００９】
前記ランバーサポート部材の拡張部は、側端縁に近づくにつれて徐々に肉薄となるように成形し、前記張地の側端を前記拡張部の後方に回り込ませるようにしていれば、背凭れ面の左右両縁を美麗に仕上げることができ、ランバーサポート部材の側端縁が先鋭化して感触を損なうようなことも避けられる。
【００１０】
前記ランバーサポート部材の帯部が、着座者の荷重を受けて後方に撓み変形し得るのであれば、さらに座り心地を良好なものにできる。
【００１１】
前記突起を、前記溝穴の溝幅に略等しい直径の円筒状の外周をなすものとすることにより、突起が溝穴内で軸回りに回動できる、ひいては、ランバーサポート部材における突起周辺の部位が左右に傾くことが許容される。このことは、ランバーサポート部材の高さ調節の際の操作性向上に寄与する。
【００１２】
また、特に、前記支持体が可撓性を有しているような場合には、支持体を背フレームの前面側に配し、支持体を背フレームに支持させるようにすることも好ましい。
【発明の効果】
【００１３】
本発明によれば、簡便な構成でランバーサポート部材の高さ調節機能を実現可能である。
【発明を実施するための最良の形態】
【００１４】
以下、本発明の一実施形態を、図面を参照して説明する。本実施形態の椅子は、図１ないし図５に示すように、脚体４と、脚体４に支持させた基体２と、基体２上に配設した座３と、水平支軸１６を介して基体２に枢着した背凭れ１とを具備し、座３及び背凭れ１が連動して傾動するシンクロロッキング動作が可能なものである。
【００１５】
詳述すると、脚体４は、複数個のキャスターを装着している脚羽根４１と、脚羽根４１の中央より略垂直に立ち上がる脚支柱４２とを備えており、脚羽根４１と脚支柱４２との間に介設したガススプリング（図示せず）の伸縮により脚支柱４２を上下に突没させ得る。
【００１６】
基体２は脚支柱４２の上端に固定してあって、脚支柱４２の突没操作を通じて座３及び背凭れ１の高さ位置を調節することができる。基体２には、水平支軸１６回りに回動する背凭れ１を前方へ付勢する弾性付勢機構（図示せず）、背凭れ１のロッキング角度を固定する固定機構（図示せず）等を内蔵している。弾性付勢機構は、コイルスプリングやガススプリングを実装して背フレーム１１を弾性付勢するものである。
【００１７】
座３は、座受３１に座面を形成するクッション体３２を装着してなる。座３の前端部は、基体２に対し前後方向にスライド移動可能に支持させており、座３の後端部は、下記背フレーム１１における下フレーム部１３にヒンジ（図示せず）を介して取着している。
【００１８】
背凭れ１は、背フレーム１１の前面に背凭れ面Ｓを形成する張り部材１２を張り設けたものである。背フレーム１１は、基体２に対し水平支軸１６回りに回動可能に連結している下フレーム部１３と、下フレーム部１３の上端にヒンジ１７を介して連結している上フレーム部１４と、上フレーム部１４を後方より支持する反力フレーム部１５とを備えている。
【００１９】
下フレーム部１３は、幅方向に離間させて配置した左右の下フレーム要素１３１ａ、１３１ｂ同士を、剛性横架材１３２を以て相互に連結してなる。下フレーム要素１３１ａ、１３１ｂ、剛性横架材１３２はともに、例えば金属製の剛体である。下フレーム要素１３１ａ、１３１ｂは、側面視水平支軸１６の位置する前端から後方に延伸し、後端で上方に屈曲した略Ｌ字型をなす。
【００２０】
上フレーム部１４は、幅方向に離間させて配置した左右の上フレーム要素１４１ａ、１４１ｂ同士を、弾性横架材１４２を以て相互に連結してなる。上フレーム要素１４１ａ、１４１ｂは例えば金属製の剛体であるが、弾性横架材１４２は例えば樹脂製の弾性体である。上フレーム要素１４１ａ、１４１ｂは、側面視ヒンジ１７の位置する下端から、幾分後方に凹むように緩やかに湾曲しつつ上方に延伸し、その上端近傍で再度前方に膨出する弓形をなす。
【００２１】
反力フレーム部１５は、上フレーム要素１４１ａ、１４１ｂの各々を支持する同数の反力フレーム要素１５１ａ、１５１ｂよりなる。反力フレーム要素１５１ａ、１５１ｂの一端部は上フレーム要素１４１ａ、１４１ｂの背面に連接し、他端部は下フレーム要素１３１ａ、１３１ｂの下向面に連接する。反力フレーム要素１５１ａ、１５１ｂは、例えば弾性横架材１４２と同質の樹脂製の弾性体とする。反力フレーム要素１５１ａ、１５１ｂは、側面視下フレーム要素１３１ａ、１３１ｂ及び上フレーム要素１４１ａ、１４１ｂに沿うように延伸して略Ｌ字型をなす。
【００２２】
下フレーム要素１３１ａ、１３１ｂと上フレーム要素１４１ａ、１４１ｂとを互いに枢着するヒンジ１７の周辺、具体的には下フレーム要素１３１ａ、１３１ｂの後端から上端近傍にかけて及び上フレーム要素１４１ａ、１４１ｂの下端近傍の範囲では、側面視フレームの前面が前方に膨出するような湾曲形状をなしている。既に述べたように、上フレーム要素１４１ａ、１４１ｂの上端近傍においても、側面視フレームの前面が前方に膨出するような湾曲形状をなしている。しかして、上記の下フレーム要素１３１ａ、１３１ｂ及び上フレーム要素１４１ａ、１４１ｂの湾曲形状をなす部位に架け渡すように、張り部材１２を張り設けている。
【００２３】
張り部材１２は、伸縮性に富む張地１２１を主体とする。張地１２１は、例えば合成繊維のダブルラッセルメッシュにさらにエラストマ糸等の弾性糸を編み込んだもの（詳細には、それぞれ伸縮変形可能なメッシュ地の表布と裏布とをダブルラッセル編みで立体的に縫い合わせてなる）で、強度とクッション性とを両備している。
【００２４】
張地１２１の上辺及び左右の側辺は、バックアップ材１２２で保形している。図１０、図１１に示すように、バックアップ材１２２は、左右両側に対をなす縦枠１２２ａ、１２２ｂと両縦枠１２２ａ、１２２ｂを連結する横枠１２２ｃとが正面視三方枠状または四方枠状をなし、前後方向に撓み変形可能な例えば樹脂製の薄板体で、特に張地１２１の左右の側辺が内側方に撓もうとすることを防ぎ、張地１２１を張った状態に保つ。図示例のバックアップ材１２２は、左右両側の縦枠１２２ａ、１２２ｂの上端部同士を横枠１２２ｃを介して相互に連結した正面視略三方枠状をなすものである。
【００２５】
バックアップ材１２２の上端部は、背フレーム１１の上端部に支持させる。本実施形態では、バックアップ材１２２の縦枠１２２ａ、１２２ｂの上端部に貫通孔１２２ｘを穿ち、その貫通孔１２２ｘにビスまたはピン等の止着具１９１を挿通して上フレーム要素１４１ａ、１４１ｂの上端部に止着している。一方で、バックアップ材１２２の下端部は、背フレーム１１の下端部に支持させる。本実施形態では、バックアップ材１２２の縦枠１２２ａ、１２２ｂの下端部及び中間よりやや下方の部位にそれぞれ上下方向に延伸する長孔１２２ｙを穿ち、それら長孔１２２ｙにビスまたはピン等の止着具１９２を挿通して各々を下フレーム要素１３１ａ、１３１ｂの下端部及び上端部に止着している。バックアップ材１２２の上端部は上フレーム要素１４１ａ、１４１ｂに対して固定されるが、下端部は下フレーム要素１３１ａ、１３１ｂに対して上下スライド可能となる。
【００２６】
背フレーム１１の上端部とヒンジ１７近傍との間は側面視後方に凹むように湾曲しており、縦枠１２２ａ、１２２ｂの中間部位が後方に撓み変形し得る余地を与えている。背フレーム１１の上辺をなす弾性横架材１４２もまた平面視後方に凹むように湾曲しており、横枠１２２ｃが後方に撓み変形し得る余地を与えている。
【００２７】
張り部材１２の上端部は左右の上フレーム要素１４１ａ、１４１ｂに装着して支持させ、下端部は左右の下フレーム要素１３１ａ、１３１ｂに装着して支持させる。張地１２１を背フレーム１１に架設するに際しては、張地１２１の上縁をバックアップ材１２２の横枠１２２ｃに、張地１２１の左右の側縁をバックアップ材１２２の縦枠１２２ａ、１２２ｂに装着する。具体的には、図１０及び図１２に示すように、バックアップ材１２２の周端面、即ち横枠１２２ｃの上端面及び左右の縦枠１２２ａ、１２２ｂの外側端面にそれぞれ凹溝１２２ｚを形成し、凹溝１２２ｚに張地１２１の三方の縁端を嵌め入れて係止する。張地１２１の三方の縁端１２１ｘには、予め、長尺な薄板状をなす例えば樹脂製の縁端材を（縫合、接着、溶着等により）取り付けておく。さらに、張地１２１の下縁を下フレーム部１３の所定部位に固定する。図示例では、張地１２１の下縁にブラケット１２１ｙを取り付けておき、このブラケット１２１ｙを下フレーム部１３の剛性横架材１３２にボルト１９３等を用いて固定している。
【００２８】
総じて言えば、背フレーム１１の前面にバックアップ材１２２を、バックアップ材１２２の前面に張地１２１を配している。このとき、バックアップ材１２２は板ばねの作用を営み、張地１２１を前方に押圧して張り出させる。張地１２１の上端部及び下端部は、それぞれ背フレーム１１の上下端部に対して固定される。張地１２１の上端部はバックアップ材１２２を介して間接的に上フレーム要素１４１ａ、１４１ｂに固定され、張地１２１の下端部はバックアップ材１２２を介さず直接的に下フレーム要素１３１ａ、１３１ｂに固定されている。
【００２９】
本実施形態の椅子は、座３及び背凭れ１が連動して傾動するシンクロロッキング動作が可能である。図６に示すように、シンクロロッキング動作では、背フレーム１１全体が水平支軸１６回りに回動することで背凭れ１が前後に傾動する。同時に、座３の後端部が背フレーム１１に連動して上下に揺動し、かつ座３の前端部が前後にスライドする。
【００３０】
また、本実施形態の椅子は、着座者が着座したまま後ろを振り向いたり、手を伸ばしたり、身体をねじったりする動きに追随して、背凭れ面Ｓの上部の左半部のみ、または右半部のみを後方に変位させる動作が可能である。背凭れ面Ｓの上部を支持している上フレーム部１４は、左右に対をなす上フレーム要素１４１ａ、１４１ｂが互いに独立して前後動する。即ち、左側の上フレーム要素１４１ａは左側の下フレーム要素１３１ａにヒンジ１７を介して連結し、右側の上フレーム要素１４１ｂは右側の下フレーム要素１３１ｂにヒンジ１７を介して連結しており、これら上フレーム要素１４１ａ、１４１ｂが個別に回動し得る。
【００３１】
図７に示すように、上フレーム要素１４１ａ、１４１ｂをヒンジ１７回りに後傾させたとき、下フレーム要素１３１ａ、１３１ｂ及び上フレーム要素１４１ａ、１４１ｂの湾曲形状をなす部位に張り部材１２が接触する面積が徐々に増大するとともに、背フレーム１１の上端部と下端部との離間距離が拡大するために張地１２１が張力を増しつつ上下に伸長する。同時に、バックアップ材１２２の下端部が長孔１２２ｙの寸法範囲内で下フレーム要素１３１ａ、１３１ｂに対し上下方向に相対変位する。並びに、反力フレーム要素１５１ａ、１５１ｂがアングルを拡げるように変形して反力を蓄積し、上フレーム要素１４１ａ、１４１ｂを原位置に復帰させる方向、つまり前方に弾性付勢する。
【００３２】
そして、何れか一方の上フレーム要素１４１ａ（１４１ｂ）を他方の上フレーム要素１４１ｂ（１４１ａ）に対し相対的に前後方向に変位させれば、図８、図９に示すように、背凭れ面Ｓの形状を三次元的に変化させることができる。この動作において、下フレーム部１３は必ずしも駆動されない。左右に対をなす下フレーム要素１３１ａ、１３１ｂは剛性横架材１３２を介して剛体連結されているため、それら下フレーム要素１３１ａ、１３１ｂは常に一体的に運動する。故に、背凭れ面Ｓの下部、着座者の腰部より下方にあたる部分は、恒常的に一定の形状を維持する。
【００３３】
着座者の動きに伴い、上フレーム要素１４１ａ、１４１ｂの一方が他方に対し相対的に前後動すると、左右の上フレーム要素１４１ａ、１４１ｂ間の距離が増大する。その際、両上フレーム要素１４１ａ、１４１ｂの離間距離の増大に対応するべく、弾性横架材１４２が弾性変形する。本実施形態の弾性横架材１４２は、上フレーム要素１４１ａ、１４１ｂの上端部同士を相互に連結しており、平面視後方に凹む湾曲形状をなす状態で組み付けてある。弾性横架材１４２の前後の厚みは、上フレーム要素１４１ａ、１４１ｂに連結している両端部から幅方向の中央に向かうにつれて徐々に薄くなっており、両端部よりも中間部の方が比較的変形し易くなっている。これは、上フレーム要素１４１ａ、１４１ｂと弾性横架材１４２との連結箇所に負荷が集中することを避けるためである。上フレーム要素１４１ａ、１４１ｂの一方が他方に対し相対的に前後動するとき、弾性横架材１４２は曲率を減少させるように変形して両端間の距離を伸張する。
【００３４】
加えて、背凭れ面Ｓが受けた着座者の荷重は、張り部材１２を介して上フレーム要素１４１ａ、１４１ｂに作用し、上フレーム要素１４１ａ、１４１ｂを内側方に倒れ込ませようとしてヒンジ１７に負荷をかける。このような負荷を打ち消し低減する目的で、弾性横架材１４２を、上フレーム要素１４１ａ、１４１ｂを幅方向に離反させるような初期弾性力を発揮する状態で組み付けている。
【００３５】
尤も、左右両側の上フレーム要素１４１ａ、１４１ｂをともに傾動させることもできる。その場合、例えば着座者の背を大きく反らせるようなストレッチが可能になる。
【００３６】
その上で、本実施形態では、張地１２１の背後、着座者の腰部に対応する高さ位置にランバーサポート部材１８を架け渡している。図１１、図１２に示しているように、ランバーサポート部材１８は、本体部１８１と、帯部１８２ａ、１８２ｂと、拡張部１８３ａ、１８３ｂとを備えてなる。ランバーサポート部材１８は、例えば樹脂製とする。本体部１８１は、正面視幅方向に拡がる略楕円状をなし、前面は幾分後方に凹んでいる。本体部１８１は、剛体としてもよく、可撓性を有するものとしてもよい。また、本体部１８１の前面に、ウレタンクッション等のクッション材を装着することを妨げない。帯部１８２ａ、１８２ｂは、薄帯状をなし、本体部１８１の左右両側端から若干前方に湾曲しつつ外側方に向かって延出しており、その外側端近傍で上下方向に拡張した拡張部１８３ａ、１８３ｂを一体成形している。左右に対をなす拡張部１８３ａ、１８３ｂの離間距離は、バックアップ材１２２の左右の縦枠１２２ａ、１２２ｂの離間距離に概ね等しい。
【００３７】
拡張部１８３ａ、１８３ｂは、平面視前方にやや膨出している形状をなす。より具体的には、帯部１８２ａ、１８２ｂに連続する内方端から外側方に向かって徐々に肉厚となり、さらに外方端縁に近づくにつれて徐々に薄肉となっている。これは、張地１２１の左右の側端１２１ｘをバックアップ材１２２の凹溝１２２ｚに嵌め入れて係止するにあたり、左右両縁を美麗に仕上げ、同時に拡張部１８３ａ、１８３ｂの側端縁が先鋭化して感触を損なうことを避けるためである。そして、拡張部１８３ａ、１８３ｂの背面、最も肉厚な部位に、後方に突出する突起１８４ａ、１８４ｂを形成している。突起１８４ａ、１８４ｂは、略円筒状または円柱状の外形をなすものとし、左右に一個づつ設けておく。
【００３８】
翻って、バックアップ材の縦枠１２２ａ、１２２ｂの前面、長孔１２２ｙよりもやや上方の箇所には、前方に開口し上下方向に延伸する溝穴１２２ｄ、１２２ｅを形成してある。溝穴１２２ｄ、１２２ｅは、上記の突起１８４ａ、１８４ｂを挿入するためのもので、その溝幅は突起１８４ａ、１８４ｂの直径に略等しい。溝穴１２２ｄ、１２２ｅは、縦枠１２２ａ、１２２ｂを貫通しない有底溝であるが、縦枠１２２ａ、１２２ｂを貫通する貫通孔としても構わない。
【００３９】
ランバーサポート部材１８の取着に際しては、拡張部１８３ａ、１８３ｂを張地１２１と縦枠１２２ａ、１２２ｂとの間に配置し、突起１８４ａ、１８４ｂを溝穴１２２ｄ、１２２ｅに挿入する。これにより、拡張部１８３ａ、１８３ｂが張地１２１と縦枠１２２ａ、１２２ｂとで挟圧されるとともに、突起１８４ａ、１８４ｂと溝穴１２２ｄ、１２２ｅとによる上下スライド構造が構築され、ランバーサポート部材１８が溝穴１２２ｄ、１２２ｅの延伸長さの範囲で上下にスライド可能となる。このとき、ランバーサポート部材１８の拡張部１８３ａ、１８３ｂが被支持部となり、バックアップ材１２２（特に、その縦枠１２２ａ、１２２ｂ）が支持体となる。
【００４０】
ランバーサポート部材１８は張地１２１の背後に位置し、その本体部１８１及び帯部１８２ａ、１８２ｂは後方に露出する。ランバーサポート部材１８の高さ調節を行うには、本体部１８１や帯部１８２ａ、１８２ｂを把持して操作すればよい。因みに、突起１８４ａ、１８４ｂの外周が溝穴１２２ｄ、１２２ｅの溝幅に略等しい直径の円筒状をなしていることから、突起１８４ａ、１８４ｂは溝穴１２２ｄ、１２２ｅに対して軸回りに回動し得る。つまり、ランバーサポート部材１８の拡張部１８３ａ、１８３ｂや帯部１８２ａ、１８２ｂは、突起１８４ａ、１８４ｂを中心としてバックアップ材１２２の縦枠１２２ａ、１２２ｂ対し相対的に回動し得る。結果、左方の突起１８４ａの高さ位置と右方の突起１８４ｂの高さ位置とが一致せずにランバーサポート部材１８が左右に傾くことも許容される。このことは、ランバーサポート部材１８の操作性の向上に寄与している。無論、ランバーサポート部材１８が左右に傾くと、両突起１８４ａ、１８４ｂ間の距離は拡大する（左右の溝穴１２２ｄ、１２２ｅの離間距離は原則変化しない）のであるが、元来ランバーサポート部材１８は平面視後方に凹む湾曲形状をなしており、その曲率を減少させるように変形して両突起１８４ａ、１８４ｂ間の距離の拡大に追従することが可能である。
【００４１】
バックアップ材１２２の縦枠１２２ａ、１２２ｂにおいて溝穴１２２ｄ、１２２ｅを形成している部位、換言すればランバーサポート部材１８の拡張部１８３ａ、１８３ｂを支持している部位は、背フレーム１１のヒンジ１７の位置よりも上方にあって、着座者の荷重を受けて後方に撓み変形することができる。並びに、ランバーサポート部材１８もまた、（特に帯部１８２ａ、１８２ｂが）着座者の荷重を受けて後方に撓み変形することができる。従って、着座者が背凭れ面Ｓに身体を凭せかけたとき、張地１２１が伸長するのに加え、縦枠１２２ａ、１２２ｂ及びランバーサポート部材１８が撓むことで着座者の身体を柔らかく受け止める。それでいて、腰部近傍部位はランバーサポート部材１８に後方より支持され、ランバーサポート部材１８の全長に応じた深度以上には後方に沈み込まない。
【００４２】
本実施形態によれば、左右に対をなす支持体１２２ａ、１２２ｂの前面側に張地１２１を張り設けて背凭れ面Ｓを形成している椅子にあって、着座者の腰部を支えるランバーサポート部材１８の被支持部１８３ａ、１８３ｂを張地１２１と支持体１２２ａ、１２２ｂとの間に配置するとともに、ランバーサポート部材１８の被支持部１８３ａ、１８３ｂと支持体１２２ａ、１２２ｂとのうち一方に設けた前後方向に突出する突起１８４ａ、１８４ｂを他方に設けた上下方向に延伸する溝穴１２２ｄ、１２２ｅに挿入して、当該ランバーサポート部材１８を上下スライド可能に支持させるものとしたため、ランバーサポート部材１８の被支持部１８３ａ、１８３ｂを張地１２１と支持体１２２ａ、１２２ｂとで前後から挟みつつ、その被支持部１８３ａ、１８３ｂと支持体１２２ａ、１２２ｂとの間に突起１８４ａ、１８４ｂと溝穴１２２ｄ、１２２ｅとによる上下スライド構造を構築することができる。よって、精緻な調節機構を作り込むことなしにランバーサポート部材１８の高さ調節機能を実現でき、しかもコンパクトな構成となる。
【００４３】
前記支持体１２２ａ、１２２ｂが、着座者の荷重を受けて後方に撓み変形し得るため、着座者が凭れたときに支持体１２２ａ、１２２ｂが撓むことで着座者の身体を柔らかく受け止めることができる。
【００４４】
前記ランバーサポート部材１８が、本体部１８１と、本体部１８１より左右両側方に延出した帯部１８２ａ、１８２ｂと、帯部１８２ａ、１８２ｂの側端近傍で上下方向に拡張した拡張部１８３ａ、１８３ｂとを備えており、その拡張部１８３ａ、１８３ｂを前記被支持部としているため、ランバーサポート部材１８を安定的に保持することができる。
【００４５】
前記ランバーサポート部材１８の拡張部１８３ａ、１８３ｂは、側端縁に近づくにつれて徐々に肉薄となるように成形し、前記張地１２１の側端１２１ｘを前記拡張部１８３ａ、１８３ｂの後方に回り込ませるようにしているため、背凭れ面Ｓの左右両縁を美麗に仕上げることができ、ランバーサポート部材１８の側端縁が先鋭化して感触を損なうようなことも避けられる。
【００４６】
前記ランバーサポート部材１８の帯部１８２ａ、１８２ｂが、着座者の荷重を受けて後方に撓み変形し得るため、座り心地をさらに良好なものにできる。
【００４７】
前記突起１８４ａ、１８４ｂを、前記溝穴１２２ｄ、１２２ｅの溝幅に略等しい直径の円筒状の外周をなすものとすることにより、突起１８４ａ、１８４ｂが溝穴１２２ｄ、１２２ｅ内で軸回りに回動できる、ひいては、ランバーサポート部材１８における突起１８４ａ、１８４ｂ周辺の部位が左右に傾くことが許容される。このことは、ランバーサポート部材１８の高さ調節の際の操作性向上に寄与する。
【００４８】
また、支持体１２２ａ、１２２ｂを背フレーム１１の前面側に配し、これを背フレーム１１に支持させるようにしており、ランバーサポート部材１８及び張地１２を好適に保定できるものとなっている。
【００４９】
なお、本発明は以上に詳述した実施形態に限られるものではない。例えば、上記実施形態では、ランバーサポート部材の被支持部に後方に突出する突起を設け、支持体に前方に開口する溝穴を設けて上下スライド構造を構築していたが、これとは逆に、支持体に前方に突出する突起を設け、ランバーサポート部材の被支持部に後方に開口する溝穴を設けるようにしてもよい。
【００５０】
また、支持体が可撓性を有しているとは限られない。さらに、背フレームを支持体としてランバーサポート部材を取着する、ということも考えられる。その場合、ランバーサポート部材の被支持部を、背フレームの前面に当接させて配置することになる。
【００５１】
その他各部の具体的構成は上記実施形態に限られるものではなく、本発明の趣旨を逸脱しない範囲で種々変形が可能である。
【図面の簡単な説明】
【００５２】
【図１】本発明の一実施形態の椅子を正面側から見た斜視図。
【図２】同椅子を背面側から見た斜視図。
【図３】同椅子の側面図。
【図４】同椅子の背面図
【図５】同椅子の平面図。
【図６】同椅子のシンクロロッキング動作を示す側面図。
【図７】同椅子の上フレーム要素を後方に変位させた状態を示す側面図。
【図８】図椅子の背凭れ面変形動作を示す斜視図。
【図９】同椅子の背凭れ面変形動作を示す平面図。
【図１０】同椅子の張地、支持体及びランバーサポート部材を示す要部分解斜視図。
【図１１】同椅子の支持体とランバーサポート部材との関係を示す要部正面図。
【図１２】同椅子のランバーサポート部材の取着態様を示す要部平断面図。
【符号の説明】
【００５３】
Ｓ…背凭れ面
１２１…張地
１２２ａ、１２２ｂ…支持体（バックアップ材）
１２２ｄ、１２２ｅ…溝穴
１８…ランバーサポート部材
１８１…本体部
１８２ａ、１８２ｂ…帯部
１８３ａ、１８３ｂ…被支持部（拡張部）
１８４ａ、１８４ｂ…突起
【図１】
2007190219.tif 000003
【図２】
2007190219.tif 000004
【図３】
2007190219.tif 000005
【図４】
2007190219.tif 000006
【図５】
2007190219.tif 000007
【図６】
2007190219.tif 000008
【図７】
2007190219.tif 000009
【図８】
2007190219.tif 000010
【図９】
2007190219.tif 000011
【図１０】
2007190219.tif 000012
【図１１】
2007190219.tif 000013
【図１２】
2007190219.tif 000014